Podtech/llm-jp-corpus-v4-ja_patent huggingface dataset:
(57)【要約】【課題】  勉強する時前かがみになり長時間重い頭を支えている。その上本や辞書を左側に置き、左指先でおさえ、よく見ようと、より頭をさげることで今の子供達にも肩こりが多くなっている。卓上は必要な品も多く整理が難儀である。卓上にほっとする癒しけいの可愛いい品があったらと思う。【解決手段】  前かがみで下を向き左右に頭を動かす運動から、目前に立っている本を上を向いて見ることで頭は上下運動になり指で指針することなくゴムでするので肩こりから救われた。下部を必要品の集納箱にし上部を本立てにしたことで集納が立体的になり卓上のスペースが広くなった。形が可愛いいことと木製品ですればなお心がなごみタンテーブルで回ることで癒しになった。【選択図】  図１
2006081881.tif 000002
【特許請求の範囲】
【請求項１】
卓上で本や辞書などを立てて見ることの出来る立見台であることを特長とする。
【請求項２】
筆立てと小物入れの上部を立見台とし、本をもたせる部分を三面鏡のようにしたものなり。
【請求項３】
上部の表にカガミを設置し、下部の周囲に温度計、カレンダーなど設置し全体の姿をキャラクターの姿にしたものなり。
【請求項４】
和英辞典などこまかい字の上段下段の指針にゴム紐を使用
【請求項５】
立見台の底にタンテーブルを設置したことを特長とした。
【発明の詳細な説明】
【技術分野】
【０００１】  本発明は肩こり防上を計った卓上立見台。
【背景技術】
【０００２】  従来の立見台は正座したり、立ったまま使用する立見台はあった。
（特許文献１、２参照）折りたたみ式もあった（特許文献２参照）【０００３】  以下従来の立見台を説明する。正座したり、立ったままでの譜面を見るためのものが主である。卓上でしかも色々な集納機能を持った立見台はなかった。【０００４】
【特許文献１】特開  ２００１−７８８４１
【特許文献２】実用新案登録第３０６６４９５号
【発明の開示】
【発明が解決しようとする課題】
【０００５】  勉強する時下ばかり向き前かがみの姿勢ばかりがつづく。その上左側に本を置き、重い頭を左右に振り確認のため頭をさらに下にして見ることで、子供達もひどい肩こりになやまされている。【０００６】  卓上には色々な必要品があり整理がしにくい。【０００７】  勉強がつづく中ほっとする癒やしけいの遊びの品がほしいと思った。
【課題を解決するための手段】
【０００８】  本発明はせまいスペースを立体的に使用し沢山の機能を有することを考へた。筆立、は後。両サイドはケイタイ、メガネ、前面は虫メガネ、化粧品、ケシゴム、など【０００９】  上部は立見台、として開いて使用し、立見台として使用しない時は１４のカガミを設置したことで化粧台にもした。
【発明の効果】
【００１０】  上述したように本発明は、頭を下げて本や辞書を見るのではなく頭を上げて見ることで頭は上下の運動になり肩こりから救った。【００１１】  沢山の必要品を立体的にコンパクトにまとめ卓上のスペースを広くした。タンテーブルを設置したことで四方の物が楽に取り出せ全体が可愛いい形にほっとし動くことで癒しにもなる。
日本の木材で作った場合はなおさら良い。
【発明を実施するための最良の形態】
【００１２】  図においては、図１は卓上立見台に本を立て必要な段をゴムで指針した所、前部に虫メガネ、ケシゴム、化粧品など入れ両サイドにケイタイ、メガネなど入れる図。前面はカレンダー入れケース。【００１３】  図２は立見台として使用していない時ゴムでまき２を閉じる。１５でゴムの長さを調節する。後部は筆立としペン、ハサミ、定規など入れる図。３は本を立てた時のストッパー。１４はカガミで化粧台とした所。【００１４】  図３は図２の立見台を開いた所、温度計で部屋の温度を見たり正面にカードカレンダー入れ１７を設置。【００１５】  図４は横とうしろから見た所。５はゴム紐を上下させる穴。【００１６】  図５は底に取りつけるタンテーブル。
【図面の簡単な説明】
【００１７】
【図１】辞書など本を立見台にのせ指針のためにゴムを掛た所
【図２】立見台として使用していない時の図。メガネ、ペン、温度計、カガミ
【図３】本などのせる前の図
【図４】立見台として使用していない時の図
【図５】底に取りつけるタンテーブル
【符号の説明】
【００１８】１      筆立前部
２      両開き本もたせ台
３      本のせストッパー
４      各段チェツゴム
５      段チェックゴムの上下する穴
６      前部の小物入メガネ、虫メガネなど
７      後部の筆立
８      筆立の前部と後部のしきり
９      本のせ台
１０    本
１１    温度計
１２    小物ケシゴムなど
１３    ペンなと筆記用具
１４    カガミ
１５    ゴム調節ループ
１６    ポケットケイタイ立て
１７    カードカレンダー入レ
【図１】
2006081881.tif 000003
【図２】
2006081881.tif 000004
【図３】
2006081881.tif 000005
【図４】
2006081881.tif 000006
【図５】
2006081881.tif 000007
(57)【要約】【課題】従来のゴルフクラブのグリップは握りにくいため滑りやすくフックボールやスライスボールになりがちであった。初心者でも簡単に使いこなせるような滑りにくくて、握りやすいゴルフクラブのグリップを提供する。【解決手段】ゴルフクラブのグリップ部分（１）の形状を、ゴルファーが実際にグリップを握った状態の指の位置に合わせて指へこみ部分（２）、同様に手のひらの位置に合わせて手のひらへこみ部分（３）を設け、必要に応じてそのへこみ部分に凹凸からなる刻み（４）を形成する。また左腕利きゴルファー向けゴルフクラブのグリップに前記と同様の指へこみ部分（２）、手のひらへこみ部分（３）を設け、必要に応じて凹凸からなる刻み（４）を形成する。【選択図】図１
2006081870.tif 000002
【特許請求の範囲】
【請求項１】
ゴルフクラブのグリップ部分（１）の形状を、ゴルファーが実際にグリップを握った状態の指の位置に合わせて指へこみ部分（２）・同様に手のひらの位置に合わせて手のひらへこみ部分（３）を設けたことを特徴とするゴルフクラブのグリップ。
【請求項２】
ゴルフクラブのグリップの各へこみ部分の表面に凹凸からなる刻み（４）を設けたことを特徴とする請求項１記載のゴルフクラブのグリップ。
【請求項３】
左腕利きゴルファー向け用ゴルフクラブに請求項１及び請求項２記載のゴルフクラブのグリップ。
【発明の詳細な説明】
【技術分野】
【０００１】  本発明は、ゴルフクラブのグリップの形状に関し、詳しくは把持する手とゴルフクラブのグリップとの滑り防止を目的としたグリップの形状に関する。
【背景技術】
【０００２】  一般的にゴルフクラブのグリップは、しっかりと把持するために手前側の後端部分から先端部分にかけて緩やかなテーパー状にするなどの工夫はされているものの、スイングの時、手からグリップに加えられる力が１００％伝わらなく、特に初心者にとっては握りにくいので滑りやすくなり、インパクトの瞬間、指の握りがずれてスイングがうまく出来ないことが間々あった。
【発明の開示】
【発明が解決しようとする課題】
【０００３】  そのような状態でスイングすれば、グリップが滑りやすくフックボールやスライスボールとなり、初心者にとって上達の阻害の大きな原因となっていた。そこでそれらを解消するためにゴルフクラブのグリップ滑り止め（特許文献１参照）に代表されるように色々な工夫がなされているが、問題点を基本的に解決するようなものはなかった。従って初心者でも簡単に使いこなせるような滑りにくくて握りやすいゴルフクラブが求められていた。【０００４】
【特許文献１】  公開番号：特許公開平１０−３１４３５２  公開日：１９９８年１２月２日  出願人：株式会社  フジックス  発明者：藤本  久行  発明の名称：ゴルフクラブのグリップ滑り止め
【課題を解決するための手段】
【０００５】  上記問題点を解決するために、ゴルフクラブのグリップ部分（１）の形状を、ゴルファーが実際にグリップを握った状態の指の位置に合わせて指へこみ部分（２）・同様に手のひらの位置に合わせて手のひらへこみ部分（３）を設ける。【０００６】  上記に加えてゴルフクラブのグリップのへこみ部分の表面に凹凸からなる刻み（４）を設ける。【０００７】  上記同じ内容で左腕利きゴルファー用ゴルフクラブのグリップに指へこみ部分（２）と手のひらへこみ部分（３）を設け、必要に応じて凹凸からなる刻み（４）を設ける。
【発明の効果】
【０００８】  各ゴルファーの手の大きさに合ったゴルフクラブのグリップを使用することによってインパクトの瞬間に指や手首のズレがなくなり、手から力がスムーズにグリップに伝わり正確なスイングが出来るようになる。滑りにくくて握りやすい、特に初心者にとっては待望のゴルフクラブ実現と言うことが出来る。
【発明を実施するための最良の形態】
【０００９】  本発明を実施するための最良の形態について説明する。
ゴルフクラブのグリップ部分の形状を各ゴルファーが実際にゴルフクラブを握った状態で指の位置に合わせて指へこみ部分（２）・手のひらの位置に合わせて手のひらへこみ部分（３）を設ける。また、必要に応じてそのへこみ部分の表面に凹凸からなる刻み（４）を形成する。左腕利きゴルファー向けゴルフクラブに前記と同様に指へこみ部分（２）と手のひらへこみ部分（３）を設け、必要に応じて凹凸からなる刻み（４）を設ける。
本発明は以上の構成よりなり、これを使用するときは、人それぞれに手や指の大きさが違うため、何種類かのパターンを作って各ゴルファーが最適なゴルフクラブを選んで使用する。またオーダーメイドでその人に合わせたゴルフクラブを作ることも当然可能である。
【図面の簡単な説明】
【００１０】
【図１】    本発明のゴルフクラブのグリップ部分の斜視図
【図２】    本発明のゴルフクラブのグリップ部分のへこみ部分の部分拡大図
【符号の説明】
【００１１】（１）    グリップ部分
（２）    指部分へこみ
（３）    手のひら部分へこみ
（４）    刻み
【図１】
2006081870.tif 000003
【図２】
2006081870.tif 000004
(57)【要約】      （修正有）【課題】  長ズボン着用時、裾が靴のかかと部に巻き込まない靴べらを提供する。【解決手段】  靴べら本体１のサイドに、フック２を設けたものである。【効果】フックにてズボンの裾を引っ掛けてから、靴べらとして使用するため、片手での使用でも、かかとへの巻き込みを防ぐことが出来る。【選択図】図１
2006081865.tif 000002
【特許請求の範囲】
【請求項１】
本発明は、靴べらに関するものである。
【発明の詳細な説明】
【発明の詳細な説明】
この発明は、靴べらのサイドにフックを設けたものである。
従来の靴べらは、長ズボン着用時に、裾が靴のかかと部に巻き込み、不快な為、もう片方の手でズボンを摘みあげなければならず、使用時は、両手を、使わなければならなかった。
このため、手荷物がある時は、一度置いてから使用するという手間のかかる物であった。
本発明は、その点を除くためにされたものである。
以下それを説明する。
靴べら本体（１）のサイドに、フックを設ける。
本発明は、このような構造であるから、図２のようにフックにて、ズボンの裾を引っ掛けてから靴べらとして使用するため、長ズボン着用時も片手で使用が可能である。
尚、本発明のフックは、突起状の物をつけたり、単なる切れ込みでも良い。
【図面の簡単な説明】
【図１】  本発明の斜視図である。
【図２】  本発明の使用中の斜視図である。
【符号の説明】
（１）は靴べらの本体      （２）はフック      （３）は足
（４）は靴                （５）はズボン
【図１】
2006081865.tif 000003
【図２】
2006081865.tif 000004
(57)【要約】【課題】バストの形・大きさは個人差があり、規格サイズの中でジャストフィットするものは意外に少なく、商品に不満が付きまとうことが多かった。太っている人、高齢者、身体の不自由な人は背中に手を回しにくく装着が難しい。また、粘着式カップは通気性がなく暑いうえに、汗をかいてはがれやすく不安である。かと言って、何もつけないとバストトップが服の上から透けて見え、他人の視線が気になる。【解決手段】バストを覆う部分をできるだけ小さくした肌色の円形シールに、中心部分は弾力のあるやわらかい素材でクッション性を持たせ、全体にムレないように細かい通気孔をあけ、つけていて安心感のある、それでいて肌にやさしい粘着力としたことを特徴とする。【選択図】図１
2006081867.tif 000002
【特許請求の範囲】
【請求項１】
バストトップよりも少し大きい肌色の円形で、中心部分に弾力のあるやわらかい素材でクッション性を持たせ、ムレないように全体に通気孔をあけた、肌にやさしい粘着力の使い捨てシール。
【発明の詳細な説明】
【技術分野】
【０００１】この発明は、女性のバストにつける下着類の、様々な問題点を解消するひとつの選択肢としてのバストトップシールに関するものである。
【背景技術】
【０００２】従来の下着類の形状は、バストをカップ状のもので覆い、バンド状肩ひもで肩にひっかけ、同じくバンド状ベルトを背中に回して背中で固定するものが一般的だった。最近、肩ひもとベルトのない粘着式カップのものが登場し流行している。これらはいずれも、バストを人為的に形良く見せる目的もあるが、バストトップが服の上から透けないようにすることを主たる目的としている。
【発明の開示】
【発明が解決しようとする課題】
【０００３】これらは次のような欠点があった。
（イ）バストの形・大きさは、人間の体形の一部であり、人それぞれ個性があり違うものだが、ある規格サイズに合わせて買うのが一般的だった。しかしジャストフィットするものは意外に少なく、商品に対して不満が付きまとうことが多かった。
（ロ）太っている人、高齢者、身体の不自由な人は背中に手を回しにくく、装着が難しい。
（ハ）粘着式カップはバスト全体、つまり発汗の多い胸に押しつけて貼るのでとても暑く、カップの中に汗がたまり、はがれやすく、つけていても不安である。
（ニ）何もつけないと、バストトップが服の上から透けて見え、他人の視線が気になる。
本発明は、これらの欠点を除くためになされたものである。
【課題を解決するための手段】
【０００４】バストをカップで覆うという概念を捨て去り、覆う部分をできるだけ小さくした肌色の円形シールに、中心部分は弾力のあるやわらかい素材でクッション性を持たせ、全体に細かい通気孔を多数あけてムレないようにする。また、つけていて安心感のある、それでいて肌にやさしい粘着力の使い捨てシールとする。
本発明は、以上の構成よりなるバストトップシールである。
【発明の効果】
【０００５】簡単な使い捨てシールなので、誰でもいつでもどこでも手軽に、衛生的に使用できる。年齢による体形変化や授乳経験によるバストの変化で、手持ちの下着が合わなくなることも気にせずに済み、太っている人や高齢者、身体の不自由な人も背中に手を回さずにつけることができる。また夏の暑さや、肩・胸・背中の締め付け感からも解放され、ブラジャーによる肩こりや血行不良の解消も期待できる。下着とは違った選択肢が増えることにより、女性がＴＰＯに合わせて使い分け、身体的負担を軽くすることができる。
【発明を実施するための最良の形態】
【０００６】以下、本発明を実施するための最良の形態について説明する。
バストトップよりも少し大きい肌色の円形シールで、中心部分にクッション性を持たせる。通気性を考えて全体に細かい孔を多数あけ、毎日使用する場合でも肌にやさしく、それでいて安心感のある粘着力とする。
本発明は以上のような構造で、誰でも簡単に、そして手軽に使用できる。
【図面の簡単な説明】
【０００７】
【図１】本発明使用時を示した正面図である。
【図２】本発明使用時を示した断面図である。
【符号の説明】
【０００８】１シール部分
２クッション部分
３通気孔
【図１】
2006081867.tif 000003
【図２】
2006081867.tif 000004
(57)【要約】【課題】  本発明は天然放射性稀有元素鉱物の突起加工の製造方法に関する。ことに、天然放射性稀有元素鉱物の効能を最大限に活かす含有率５０パ−セント以上の天然放射性稀有元素鉱物の突起加工の製造方法を提供する。【解決手段】  数ミクロンの天然放射性稀有元素鉱物粉粒体を接着剤（アクリル系、水溶性、溶剤系接着剤など）と混合し、基材（布、プラスチック、木質、金属など材質を問わない）にスクリ−ン塗布することによって含有率が５０パーセント以上の天然放射性稀有元素鉱物の突起加工物を製造することができる。本発明によって天然放射性稀有元素鉱物の特性を最大限に活かす健康用具を製作できる。【選択図】  図２
2006081866.tif 000002
【特許請求の範囲】
【請求項１】
数ミクロンの天然放射性稀有元素鉱物の粉粒体を接着剤と混合する。接着剤はアクリル系、水溶性、溶剤系接着剤など問わない。
そのように形成されていることを特徴とする天然放射性稀有元素鉱物突起加工の製造方法である。
【請求項２】
請求項１の接着剤と混合された天然放射性稀有元素鉱物の粉粒体を基材（布、プラスチック、木質、金属など材質を問わない）にスクリ−ン塗布をして、その後乾燥（自然乾燥、強制乾燥など）して天然放射性稀有元素鉱物突起を基材の表面に露出状態で形成する。０．２ミリメ−トル以上の突起加工が可能である。そのように形成されていることを特徴とする天然放射性稀有元素鉱物突起加工の製造方法である。
【発明の詳細な説明】
【発明の詳細な説明】
【技術分野】
【０００１】本発明は、天然放射性稀有元素鉱物を手軽にあらゆる場所に関するところで使用するための天然放射性稀有元素鉱物の突起加工を簡単に施工するための、天然放射性稀有元素鉱物突起加工の製造方法である。
【背景技術】
【０００２】従来、天然放射性稀有元素鉱物の突起は健康用具をはじめとして色々な分野に使用されている。
【発明が解決しようとする課題】
【０００３】上記従来技術の天然放射性稀有元素鉱物の突起加工物は、天然放射性稀有元素鉱物の含有率が２０パ−セント以下と低く、天然放射性稀有元素鉱物の持つ効果を十分に発揮しない。
【課題を解決するための手段】
【０００４】本発明は、天然放射性稀有元素鉱物の持っている効能を最大限に発揮させるために考案されたものである。天然放射性稀有元素鉱物を、ミクロン単位の粉粒体に粉砕したものと接着剤（アクリル系、水溶性、溶剤系接着剤など）を混合することによって、天然放射性稀有元素鉱物の含有率が５０パーセント以上の天然放射性稀有元素鉱物の加工物をつくる。既に知られている天然放射性稀有元素鉱物の効能を列挙すれば次の如くである。天然放射性稀有元素鉱物の特性として知られているアルファー線，ベータ−線、ガンマ−線の放射と、マイナスイオンの発生の相乗効果により、殺菌、抗菌、浄化作用、消臭作用、又細胞の活性化促進作用など身体の新陳代謝と血行の促進をはかることにより、肩こり、神経痛、リュウマチ、腰痛の痛みの緩和、及び荒れ性、しもやけ、あせもなどに優れた効果がある。本発明は、この天然放射性稀有元素鉱物の効能を最大限に活かすために、天然放射性稀有元素鉱物の含有率が５０パ−セント以上になるよう突起加工するものである。そのように形成されていることを特徴とする天然放射性稀有元素鉱物突起加工の製造方法である。
【０００５】その二つは、上記の接着剤（アクリル系、水溶性、溶剤系接着剤など）と混合された天然放射性稀有元素鉱物粉粒体を、基材（布、プラスチック、木質、金属など材質を問わない）にスクリ−ン塗布し、その後乾燥（自然乾燥、強制乾燥など）して天然放射性稀有元素鉱物の突起の層を、基材の表面に露出状態で形成する。そのように形成されていることを特徴とする天然放射性稀有元素鉱物の突起加工の製造方法である。
【発明を実施するための最良の形態】
【０００６】以下、本発明の実施例について説明する。まず基材の材質は布、プラスチック、木質、金属等、特に材質を制限する必要はない。【０００７】図１〜図３の本発明の実施例において、（１）は基材、（２）は突起加工された天然放射性稀有元素鉱物である。図１は突起加工された天然放射性稀有元素鉱物を基材に塗布した状態の斜視図である。図２は図１の断面図である。図３は突起加工された天然放射性稀有元素鉱物を布製のサポ−タ−に塗布した本発明の応用の一実施例である。【０００８】基材にはスクリーン塗布によって天然放射性稀有元素鉱物粉粒体が塗布されており突起を形成している。突起物のみで従来の指圧効果がある。【０００９】また天然放射性稀有元素鉱物からのアルファ−線、ベータ−線、ガンマ−線の放射とマイナスイオンの発生という相乗効果で、細胞の活性化と血行の促進を図ることにより、肩こり、神経痛、リュウマチ、腰痛、打ち身などの痛みの緩和、および荒れ性、しもやけ、あせもなどを抑える効果がある。
【図面の簡単な説明】
【図１】本発明の天然放射性稀有元素鉱物突起加工の製造方法の一実施例を示す斜視図
【図２】図１の断面図
【図３】本発明を応用の一実施例の斜視図
【符号の説明】
１、基材
２、天然放射性稀有元素鉱物の突起加工物
【図１】
2006081866.tif 000003
【図２】
2006081866.tif 000004
【図３】
2006081866.tif 000005
(57)【要約】【課題】  予備トイレットペーパー入れのないペーパーホルダーのペーパー交換のとき、予備トイレットペーパー入れのあるペーパーホルダーと同様に、簡単で容易にペーパー交換が出来るようにすること。また、予備トイレットペーパーが乗っていない時は、コンパクトになって、狭いトイレの中でも邪魔にならないようにすること。【解決手段】  予備トイレットペーパー置き台は、置き台本体と折り畳み部を支点で組み合せ、折り畳み部が折り畳めるようにする。ペーパー乗せ部はトイレットペーパーの両端が乗るようにして、中間部は、手が入るように切り込んだ形状にする。予備トイレットペーパー置き台をペーパーホルダーの下側に取り付ければ、ペーパー置き台に乗った予備のトイレットペーパーを上側に上げるだけで、ペーパー交換が出来るようにもなる。また、一体構造の予備トイレットペーパー置き台でも、同様のペーパー交換が出来る。【選択図】  図１
2006081868.tif 000002
【特許請求の範囲】
【請求項１】
予備トイレットペーパーを乗せて置く台で、そこに乗せたトイレットペーパー（６）の下に手が入るように、ペーパー乗せ部（４）を切れ込んだ構造にして、ペーパーホルダーの近くに取り付けられるようにした予備トイレットペーパー置き台。
【請求項２】
予備トイレットペーパーが乗っていないときは、ペーパー乗せ部（４）が折り畳める構造にした請求項１記載の予備トイレットペーパー置き台。
【請求項３】
予備トイレットペーパー置き台に、ペーパー保持棒（５）を設けて、予備のトイレットペーパー（６）の芯穴を引っ掛けて置けるようにした構造の予備トイレットペーパー置き台。
【発明の詳細な説明】
【技術分野】
【０００１】  本発明は、予備のトイレットペーパー入れが付いていないペーパーホルダーのために、予備のトイレットペーパーを、ペーパーホルダーの近くに置けるようにする置き台に関する。
【背景技術】
【０００２】  従来は、予備のトイレットペーパー入れが付いていないペーパーホルダーのトイレットペーパー交換をするときに、予備のトイレットペーパーが戸棚に入っていたり、棚の上や、いろいろな物の上にあったり、目に触れない所に隠して置いてあったりなどして、ペーパーホルダーのペーパー交換を面倒に思うことがあります。またペーパーホルダーの下に布等で出来た帯状の間に入れて予備のトイレットペーパーを下げておく場合もありますが、交換のときは帯の間から取り出さなくてはなりません。
【発明の開示】
【発明が解決しようとする課題】
【０００３】  現在使用されているペーパーホルダーは、ペーパー交換が簡単に出来るワンタッチペーパーホルダーが多くなっていますが、実際にペーパー交換するときは、予備のトイレットペーパーがペーパーホルダーの近くに無いために、トイレットペーパーを棚などから取り出したり、いろいろな物の上に置いてあるペーパーを取ったり、帯の間から取り出してペーパー交換をしています。でもペーパー交換をするときは、ペーパーを使用中だったり、朝の出勤前等の忙しい時が多いので面倒なことも、時間も掛けないで次のペーパーを使える状態にすることが課題となります。
【課題を解決するための手段】
【０００４】  本発明は、予備のトイレットペーパーを乗せて置く予備トイレットペーパー置き台を設け、それに乗せたペーパーの下側に手が入るようにして、ペーパーホルダーの下側に取り付ける。または、適当な位置に取り付ける。【０００５】  また、予備トイレットペーパー置き台にペーパーが乗っていないときは、折り畳める構造にしたり、予備トイレットペーパー置き台にペーパー保持棒を設けて、そのペーパー保持棒でペーパーの芯穴を引っ掛けて置ける構造にしても出来る。
【発明の効果】
【０００６】  本発明の予備トイレットペーパー置き台をペーパーホルダーの下側に取り付ければ、ペーパーホルダーのペーパー交換をするとき、ワンタッチ交換の出来るペーパーホルダーの場合は、予備トイレットペーパー置き台に乗ったトイレットペーパーの下に手を入れて、そのまま上側に上げるだけでペーパー交換が出来る。それからワンタッチ交換の出来ない場合も、ペーパーホルダーの近くに予備のトイレットペーパーがあるので、交換も容易に出来る。【０００７】  また、予備トイレットペーパー置き台に、ペーパーが乗っていないときは折り畳むことで形もコンパクトになって、壁面からの出っ張りも少なくなるので外観も良くなり、身体が触れたり、当たったりすることも少なくなり、じゃまな感じもなくなる。
【発明を実施するための最良の形態】
【０００８】  本発明の予備トイレットペーパー置き台は、図１のように置き台本体１の左側を壁面に取り付けて、折り畳み部２は図１、図２、図３のように、支点３で置き台本体１と組み合わせ、図４のように折り畳めるようにする。。トイレットペーパー６が乗るペーパー乗せ部４は、トイレットペーパー６の両端が乗るようにして、中間部はトイレットペーパー６の下側に手が入るように切れ込んだ形状にする。
【実施例】
【０００９】  予備トイレットペーパー置き台が一体構造の場合は、図５のように左側を壁面に取り付けて、ペーパー乗せ部４は図５、図６、図７のようにトイレットペーパー６の両端が乗るようにして、中間部はトイレットペーパー６の下側に手が入るように切れ込んだ形状にする。【００１０】  また、予備トイレットペーパー置き台にペーパー保持棒５を設けて、予備トイレットペーパー６を引っ掛ける構造の場合は、図８のように左側を壁面に取り付けて、ペーパー保持棒５は図８、図９、図１０のようにトイレットペーパー６の芯穴の両側を引っ掛けて保持出来るようにしたもの。
【図面の簡単な説明】
【００１１】
【図１】  本発明の実施形態を示す予備トイレットペーパー置き台の左側面図
【図２】  図１の正面図
【図３】  図１の平面図
【図４】  図１の折り畳み部を折り畳んだ状態の左側面図
【図５】  一体構造の予備トイレットペーパー置き台の左側面図
【図６】  図５の正面図
【図７】  図５の平面図
【図８】  ペーパー保持棒を設けた構造の予備トイレットペーパー置き台の左側面図
【図９】  図８の正面図
【図１０】  図８の平面図
【符号の説明】
【００１２】  １  置き台本体
２  折り畳み部
３  支点
４  ペーパー乗せ部
５  ペーパー保持棒
６  トイレットペーパー
【図１】
2006081868.tif 000003
【図２】
2006081868.tif 000004
【図３】
2006081868.tif 000005
【図４】
2006081868.tif 000006
【図５】
2006081868.tif 000007
【図６】
2006081868.tif 000008
【図７】
2006081868.tif 000009
【図８】
2006081868.tif 000010
【図９】
2006081868.tif 000011
【図１０】
2006081868.tif 000012
(57)【要約】【課題】  本発明は、ハンガーＡとハンガーＢの間に、通気性が良く、物が受けられる状態の小物干し部を設け、小物干し部は、ハンガーＡとハンガーＢの肩部の一端を軸にして、回転自在に取り付けたことを特徴とするハンガーで、洗濯あるいは洗浄された衣類の乾燥を早める作用と、通常のハンガーなどで、干すことの出来ない枕なども干すことができるように工夫したハンガーを提供する。【解決手段】  ハンガーＡ（１）とハンガーＢ（２）の間に、通気性が良く、物が受けられる状態の小物干し部（３）を設け、小物干し部（３）は、ハンガーＡ（１）とハンガーＢ（２）の肩部の一端を軸（４）にして、回転自在に取り付けたことを特徴とする。【選択図】  図１
2006081863.tif 000002
【特許請求の範囲】
【請求項１】
ハンガーＡ（１）とハンガーＢ（２）の間に、通気性が良く、物が受けられる状態の小物干し部（３）を設け、小物干し部（３）は、ハンガーＡ（１）とハンガーＢ（２）の肩部の一端を軸（４）にして、回転自在に取り付けたことを特徴とするハンガー。
【発明の詳細な説明】
【技術分野】
【０００１】  本発明は、ハンガーＡとハンガーＢの間に、通気性が良く、物が受けられる状態の小物干し部を設け、小物干し部は、ハンガーＡとハンガーＢの肩部の一端を軸にして、回転自在に取り付けたことを特徴とするハンガーで、洗濯あるいは洗浄された衣類の乾燥を早める作用と、通常のハンガーなどで、干すことの出来ない枕なども干すことができるように工夫したハンガーに関するものである。
【背景技術】
【０００２】  従来、衣類は平面で干して、枕なども干せるハンガーはあった。
また、衣類だけ枕だけを干せるハンガーはあった。
【特許文献１】特開平８−１２６５６８
【特許文献２】特開２００１−２３９０９４
【特許文献３】特開２００４−０７３８０９
【発明の開示】
【発明が解決しようとする課題】
【０００３】  そのために、次のような問題点があった。
（イ）衣類など平面で干すと場所をとった。
（ロ）衣類など平面で干す時の組み立てが複雑であった。
（ハ）衣類しか干すことができなかった。
（二）枕しか干すことができなかった。
本発明は、これらの問題点を解決するためになされたものである。
【課題を解決するための手段】
【０００４】  ハンガーＡ（１）とハンガーＢ（２）の間に、通気性が良く、物が受けられる状態の小物干し部（３）を設ける。
小物干し部（３）は、ハンガーＡ（１）とハンガーＢ（２）の肩部の一端を軸（４）にして、回転自在に取り付ける。
小物干し部（３）は、通気性が特徴で、小物干し部（３）の補助部材の形は、実施例ではハートの形にしているが特に限定しない。
以上を特徴とするハンガーである。
【発明の効果】
【０００５】  本発明を使用することによって、１つのハンガーで衣類と枕なども干せる２通りの使い方ができる。
また、通気性がよいので衣類の乾燥を早めることができ、使用時における取り扱いが簡単であり場所もとらず、収納性に優れている。
【発明を実施するための最良の形態】
【０００６】  以下、本発明の実施の形態について説明する。
ハンガーＡ（１）とハンガーＢ（２）の間に、通気性が良く、物が受けられる状態の小物干し部（３）を設ける。
小物干し部（３）は、ハンガーＡ（１）とハンガーＢ（２）の肩部の一端を軸（４）にして、回転自在に取り付ける。
小物干し部（３）は、通気性が特徴で、小物干し部（３）の補助部材に形は、実施例ではハートの形にしているが特に限定しない。
本発明は以上のような構成で、これを使用するときは、ハンガーＡ（１）とハンガーＢ（２）に衣類などを掛けて干し、物が受けられる状態の小物干し部（３）に枕なども干す事ができる。
しかもハンガーＡ（１）とハンガーＢ（２）の間に通気性が良く、物が受けられる状態の小物干し部（３）を設けているので、厚手の衣類が乾きやすい。
【図面の簡単な説明】
【０００７】
【図１】本発明の斜視図である。
【図２】本発明の斜視図である
【図３】本発明の収納状態を示した説明図である。
【符号の説明】
【０００８】    １  ハンガーＡ
２  ハンガーＢ
３  小物干し部
４  軸
５  竿
【図１】
2006081863.tif 000003
【図２】
2006081863.tif 000004
【図３】
2006081863.tif 000005
(57)【要約】【課題】生花の空中に装飾体を置くための台を提供する。【解決手段】装飾体を紐などの固定手段で固定するための台の下部を、吸水スポンジ入り容器に挿し込み固定して、台と吸水スポンジ入り容器の空間を利用して、生花を活けることができ、装飾体を生花の空中に置く事ができる足棒を設けた事を、特徴とする生花用物置台。【選択図】  図１
2006081861.tif 000002
【特許請求の範囲】
【請求項１】
装飾体を紐などの固定手段で固定するための台の下部を、吸水スポンジ入り容器に挿し込み固定して、台と吸水スポンジ入り容器の空間を利用して、生花を活ける事ができ、装飾体を生花の空中に置く事ができる足棒を設けた事を、特徴とする生花用物置台。
【発明の詳細な説明】
【技術分野】
【０００１】  本発明は、足棒の付いた台を使用し、装飾体を生花の中に取り込む、生花用物置台に関するものである。
【背景技術】
【０００２】  従来、人形等の装飾体自体に棒をつけたピックを生花の中に取り込んで生花のより効果的な演出を行っていた。
【発明の開示】
【発明が解決しようとする課題】
【０００３】  その為に、次のような問題点があった。
（イ）装飾体に棒が付いていないと、または棒を付けないと生花の中に取り込めない。
（ロ）既存のピックは細いワイヤーや棒で支えるため、安定感がなく装飾体が限られてしまう。
（ハ）容器の中をビニール等で生花部分と装飾体部分に仕切りを作って置く方法は装飾体が水漏れなどで濡れたり、見えにくかったりする。
（ニ）装飾体付きピックは長さや形が決まっているので生花のデザインが限定されてしまう。
（ホ）容器の中に仕切りをして、生花と装飾体を一緒に入れる場合、生花のデザインが広がらない。
（ヘ）生花と様々な形状の装飾体を一緒に贈りたい場合、一固体のデザインにすることが困難である。
【課題を解決するための手段】
【０００４】  装飾体を紐などの固定手段で固定するための台の下部を、吸水スポンジ入り容器に挿し込み固定して、台と吸水スポンジ入り容器の空間を利用して、生花を活ける事ができ、装飾体を生花の空中に置く事ができる足棒を設けた事を、特徴とする生花用物置台。
【発明の効果】
【０００５】  足棒によって台を空中に浮いた状態で設置できるため、台の上に置く物の形を制限することなく、自由になり、色々な装飾体を生花の空中に置く事ができ、今までには有得ないデザインが可能となる。
【発明を実施するための最良の形態】
【０００６】  以下、本発明の形態について説明する。
（イ）台（１）と足棒（２）は図３に示すように台（１）裏面に設けた筒状の突起部分の上台接合部（５）に、足棒（２）上部の細い部分の足棒接合部（６）を挿し込む。用途に合わせて長さや足棒の本数を組み合わせる。
（ロ）台（１）の裏面に紐通し穴（３）を設ける。本発明は以上の構成よりなる。これを使用するときは足棒（２）を容器に入った吸水スポンジ（８）に挿し込み本発明を固定する。本発明と容器の空間を利用して生花を活け込み、台（１）の上にある装飾体（７ａ）（７ｃ）（７ｄ）（７ｅ）を紐（４）等で結ぶことにより固定し、生花の空中に装飾体（７ａ）（７ｃ）（７ｄ）（７ｅ）を置いたデザインを創作する。
（ハ）図４で示す箱詰にしたお茶等の装飾体（７ａ）の葬祭用供物を生花の空中に置き、生花と供物を一体化させて葬儀会場などに配置することができる。
（ニ）図６で示す台（１Ａ）は写真等額縁に入りた装飾体（７ｂ）を乗せて、ストッパー（１０）と受け部（９）の間に立てかけて図５のように生花の空中に装飾体（７ｂ）のある形態をつくり、より印象的な生花となり葬儀会場、祝宴会場等に配置することができる。
（ホ）図８で示す台（１Ｂ）は背もたれ（１１）のついた椅子形にし、図７で示すぬいぐるみ等の装飾体（７ｃ）を座らせる。これらはピアノ等の発表会に於いて愛らしさを表現した生花スタンドやギフト品となる。
（ヘ）図９で示すギフトボックス型の装飾体（７ｄ）は箱の中に指輪等の小物を入れて生花の空中に置き、ギフト品としてのイメージを高めるためにリボン（１２）で結べば、生花と小物を一緒に贈る事ができるので今までにないデザインを創作することができる。かつ、贈る側、贈られる側、双方ともに喜ばしいギフト品となる。
（ト）図１０で示すワイン等のボトル（１３）を台（１）に乗せるときは、まず、ボトル置き（１４）にボトルを固定した装飾体（７ｅ）を作る。この装飾体を台（１）に乗せ、リボン（１２）で結び固定して生花の空中に装飾体（７ｅ）のある今までにないデザインを創作することができる。
（チ）図１１で示す額縁に入った装飾体（７ｂ）と果物を乗せた装飾体（７ｆ）、御骨入れを乗せた装飾体（７ｇ）を高さの異なる生花スタンド（１５）を複数組み合わせて使用することにより、葬祭場以外の自宅葬などでも多様な生花祭壇を設置する事ができる。
本発明の実施形態では、お茶や写真、果物、ぬいぐるみなどを例に挙げ説明したが、それら以外にも台（１）に置くことのできる装飾体、又は台（１Ａ）（１Ｂ）のように台の形態を変化させることにより置く事ができる他の装飾体も、空中に置き生花との一体化を図ったデザインが可能である。
【図面の簡単な説明】
【０００７】
【図１】  本発明の正面図
【図２】  本発明の底面図
【図３】  本発明の足棒と台の接合部の断面図
【図４】  本発明の使用例図
【図５】  本発明の使用例図
【図６】  本発明の台の変化図
【図７】  本発明の使用例図
【図８】  本発明の台と足棒の変化図
【図９】  本発明の使用例図
【図１０】  本発明の使用例図
【図１１】  本発明の複合体での使用例図
【符号の説明】
【０００８】１    台
２    足棒
３    紐通し穴
４    紐
５    台接合部
６    足棒接合部
７ａ  装飾体
７ｂ  装飾体
７ｃ  装飾体
７ｄ  装飾体
７ｅ  装飾体
７ｆ  装飾体
７ｇ  装飾体
８    吸水スポンジ
１Ａ  台
１Ｂ  台
９    受け部
１０  スットパー
１１  背もたれ
１２  リボン
１３  ボトル
１４  ボトル置き
１５  生花スタンド
【図１】
2006081861.tif 000003
【図２】
2006081861.tif 000004
【図３】
2006081861.tif 000005
【図４】
2006081861.tif 000006
【図５】
2006081861.tif 000007
【図６】
2006081861.tif 000008
【図７】
2006081861.tif 000009
【図８】
2006081861.tif 000010
【図９】
2006081861.tif 000011
【図１０】
2006081861.tif 000012
【図１１】
2006081861.tif 000013
(57)【要約】      （修正有）【解決手段】カーテンホルダーを円状にしカーテンを包み込むように収納する。【効果】微風で外れることもなく、また円状の一部を開閉できることにより、簡単にカーテンを収納することができる。【選択図】図１
2006081875.tif 000002
【特許請求の範囲】
【請求項１】
カーテンを開けた時に窓の端によせられたカーテンを包み込むように束ねて、窓枠の横に収納することを特徴とする、カーテン収納ホルダーです。
【請求項２】
前記カーテン収納ホルダーは、円状の形をしていて一部の場所が開閉することでカーテンを包み込むように収納できる。風などでカーテンが外れることもなく、また開閉が簡単にできるのでカーテンを収納するのに手間がかからないことを特徴とする。
【発明の詳細な説明】
【技術分野】
【０００１】  本発明は、カーテンを開けた時に窓の端によせられたカーテンを収納するためのカーテンホルダーの形状に関する。
【背景技術】
【０００２】  従来のカーテンホルダーは、棒状又は半円状でカーテンをかけて置く構造になっている。一般に使用されているカーテンタッセルは布状の帯でカーテンを束ね、カーテンタッセルの両端にある紐を壁に設けられたフックにかける構造になっている。
【発明の開示】
【発明が解決しようとする課題】
【０００３】  しかしながら、以上の技術によれば従来のカーテンホルダーは風などでカーテンがカーテンホルダーから外れ落ちる場合や冬場の厚手のカーテンなどは十分にかからないこともあり、カーテンタッセルは、設けられたフックに紐を引っ掛けるのが面倒である。
【課題を解決するための手段】
【０００４】  以上の課題を解決するために、この発明はカーテンホルダーを開閉ができる円状にしてカーテンを包み込んで収納することを特徴とする。
【発明の効果】
【０００５】  この発明によれば、カーテンを包み込んで収納することにより風でカーテンが外れ落ちることもなくなり、また開閉できることによりカーテンを簡単に収納することができる。
【発明を実施するための最良の形態】
【０００６】  この発明の実施形態を図１に示す。このカーテン収納ホルダーの本体は木製である。４の蝶番により開閉ができる。５の壁に固定された板と４の板とが開閉し、カーテンを６の板の丸みのある部分で包み込むように収納する。
【実施例】
【０００７】  本体の材質は、木製以外でも可能である。大量生産にあたってはプラスチックなどが望ましい。
【図面の簡単な説明】
【０００８】
【図１】  本発明の実施形態図
【図２】  斜視図
【図３】  平面図
【符号の説明】
【０００９】１カーテン収納ホルダー
２カーテン
３ガラス窓
４蝶番
５壁に固定される板
６開閉する板
【図１】
2006081875.tif 000003
【図２】
2006081875.tif 000004
【図３】
2006081875.tif 000005
(57)【要約】      （修正有）【課題】電気掃除機等のカール状のコードが巻き付かないカール防止装置を提供する。【解決手段】  円形筒状の中心部に引き出し方式を組み合わせて中心部引き出しを出し入れして電気掃除機等の後部より数センチコードを直線に保つ。円形筒には中心部をスライド及び停止させる切り込み溝があり引き出しの働きを保持し又中心部引き出しには円形のリング及び突起物があり停止溝よりはずれないようにバネで強く押さえる。先端の上蓋はワンタッチで開閉できるようにする。【選択図】図１
2006081880.tif 000002
【特許請求の範囲】
【請求項１】
円形筒状の中心部に引き出し方式を組み合わせて中心部引き出しを出し入れして電気掃除機等の後部より数センチコードを直線に保つ。円形筒には中心部をスライド及び停止させる切り込み溝があり引き出しの働きを保持し又中心部引き出しには円形のリング及び突起物があり停止溝よりはずれないようにバネで強く押さえる。先端の上蓋はワンタッチで開閉できるようにする巻き取り式コードのカール防止装置。
【発明の詳細な説明】
【技術の分野】
【０００１】  この発明は円形筒状と中心部引き出しを組み合わせて電気掃除機等に取り込むものに関するものである。〔背景技術〕
【０００２】  従来の電話機には螺旋状のバネがあった。〔実文献１〕実開昭５７−５１５２〔実文献２〕実開平０６−６６５５２〔発明の開示〕〔発明が解決しようとする課題〕
【０００３】  これは次のような問題点があった。電気掃除機等の内部に巻き取り式コードがある。コードを引っ張り延長するとカール状になり電気掃除機本体の足廻りに巻き付き移動するのに障害をきたす。足廻りに巻きついたコードを手直しする作業もしばしば発生する。〔課題を解決するための手段〕
【０００４】  円形筒状の中心部に引き出し方式で中心部を出し入れすることにより電気掃除機の後部より数センチコードが直線になりカール状のコードが本体より離れ足廻りに巻きつかなくなる。巻き取り式コードを採用している他種機構にも応用できる。〔発明の効果〕
【０００５】  電気掃除機等の足廻りにコードが巻き付かなくなるので作業がしやすくなる。右手で吸い込みホースを持ち左手でカール状のコードを持ち電気掃除機の足廻りに巻き付かない状態にしたり、手直し動作も削減できる。〔発明を実施するための最良の形態〕
【０００６】  電気掃除機及び家庭アイロン等内蔵式巻き取りコードは引っ張るとコードがカール状になって出て来る。各本体より数センチ直線にすることによりカール状のコードが離れ巻き付かなくなり作業がしやすくなる。
【０００７】  中心部引き出し式は電気掃除機を収納する時本体後部と平行に納まり電気掃除機をタテた状態で収納できる装置を提供する。〔実施例〕
【０００８】  カール防止装置は円形筒７に中心部引き出しコイルバネ９  リング１０突起物１１  コードを通す穴１２  上蓋１３を備え中心部を円形筒７に組み込み電気掃除機本体内部に取り付けることにより機能が可能になる。
【０００９】  コイルバネ９は円形筒の停止位置で突起物１１が停止溝よりはずれないように強く押さえる。
【００１０】  上蓋１３は電気掃除機のコードを通す穴１２にひんぱんに出し入れするためワンタッチで開閉できる。〔産業上の利用可能性〕
【図面の簡単な説明】
【００１１】
【図１】本体平面図
【図２】本体平面図
【図３】要部側面図
【図４】要部作用図
【図５】要部組立構造図
【図６】本体後面図
【図７】本体後面図の別の実施例図
【符号の説明】
【００１２】  １  電気掃除機本体  ２  フィルター  ３  モーター  ４  ドラム  ５  カール防止装置  ６  コード  ７  円形筒  ８  停止溝  ９  コイルバネ１０  リング１１  突起物１２  コードを通す穴１３  上蓋１４  コードの出し入口１５  装置の出し入口１６  コードの保持具
【図１】
2006081880.tif 000003
【図２】
2006081880.tif 000004
【図３】
2006081880.tif 000005
【図４】
2006081880.tif 000006
【図５】
2006081880.tif 000007
【図６】
2006081880.tif 000008
【手続補正書】
【提出日】平成16年12月16日(2004.12.16)
【手続補正１】
【補正対象書類名】図面
【補正対象項目名】全図
【補正方法】変更
【補正の内容】
【図１】
2006081880.tif 000009
【図２】
2006081880.tif 000010
【図３】
2006081880.tif 000011
【図４】
2006081880.tif 000012
【図５】
2006081880.tif 000013
【図６】
2006081880.tif 000014
【図７】
2006081880.tif 000015
(57)【要約】【課題】    従来の靴は長時間履いていると、足むれが生じやすい。これは靴内部の通気性が悪いためである。【解決手段】  靴底の足の付け根に近い部分に、空気噴出口を取り付けた。また、靴底に、前述の空気噴出口に直結し、かつ、靴の外部につながった吸気口を有した、弾力性のある気室を設置し、歩行時の体重移動に伴い気室の空気が前方に移動して、空気噴出口から噴出するようにした。【選択図】図１
2006081874.tif 000002
【特許請求の範囲】
【請求項１】
靴を履いたときの、足の指の付け根に近い部分の靴底に、空気噴出口を有する足むれ防止靴。
【請求項２】
靴底の長手方向に、体重の加除により閉塞・開放可能な弾力性のある空洞ゾーンが設置されており、かつ、その片端が請求項１の空気噴出口となるか、または、噴出口と直結しており、さらに、他端が、空気取り入れ口として、足のかかとより後方の部分で開放されている、足むれ防止靴。
【請求項３】
靴底に、体重の加除により、収縮・膨張可能な、空気噴出と吸入口を有した、弾力性のある空洞ゾーンを有し、その噴出口が特許請求項１に直結し、かつ、吸入口が靴の外部に開放されている、足むれ防止靴。
【発明の詳細な説明】
【技術分野】
【０００１】  本発明は、足むれを防ぐための靴に関するものである。
【背景技術】
【０００２】  従来の靴には積極的な、内部空気流通機構がない。【０００３】  空気流通の手助けとなるのは、せいぜい、靴の表面に開いた穴程度である。
【発明の開示】
【発明が解決しようとする課題】
【０００４】  このような靴を長時間履くと、特に足の指の付け根に近い部分の底部に、熱と湿気を持った空気が篭りがちで、悪臭をもたらすのみならず、水虫発生の要因ともなる。【０００５】  靴の表面に穴が開いている程度では、大きな換気は期待できない。【０００６】  空気篭りの現象は、激しい動きをする運動靴に特に著しい。【０００７】  本発明はかかる欠点を排除するために、靴の足の指の付け根に近い部分に、積極的な空気の流通を図ったものである。
【課題を解決するための手段】
【０００８】  本発明では、上記を達成するために、靴底の足の指の付け根に近い部分に、空気噴出口を取り付けた。【０００９】  噴出口を取り付けておくと、底から空気を噴出させることにより、靴の中、とりわけ足の指の付け根近傍の空気の流通が図れ、足むれ防止が可能となる。【００１０】  さらに、本発明では、積極的に空気を噴出させるために、歩くときに生ずるの体重の移動を利用して、靴の底に取り付けた弾力性のある空洞ゾーンを拡大・縮小させるようにした。【００１１】  具体的には、つぎの２つの機構を提示する。
その１つは、靴底の長手方向に、体重の加除により閉塞・開放可能な弾力性のある空洞ゾーンが設置されており、かつ、その片端が前述の、靴底の足の指の付け根に近い部分に取り付けた、空気噴出口と直結しており、さらに、他端が、空気取り入れ口として、足のかかとより後方の表面で開放されている機構である。【００１２】  もう１つの機構は、靴底に、体重の加除により、収縮・膨張可能な、空気噴出口と吸入口を有した、弾力性のある空洞ゾーンを有し、その噴出口が、前述の、靴底の足の指の付け根に近い部分に導入されており、かつ、吸入口が靴の外部に開放されている機構である。
【発明の効果】
【００１３】  上述したように、本発明の靴は、歩くときの体重の移動により、靴底に設置した、空洞ゾーンが拡大収縮し、ポンプの役目をして、空気を靴底の足の指の付け根に近い部分に噴出させるので、足むれが防止される。
【発明を実施するための最良の形態】
【００１４】  以下、本発明の実施の形態を図１、図２に基づいて説明する。【００１５】  図１は第１の例で、靴の内底を上から見た図である。【００１６】  図において、１は靴底、２は靴底の内部表面にごく近い部分に埋め込まれたゴム管、３はゴム管の片端で靴底の足の指の付け根に近い部分にある空気噴出口、４は靴の後方部外側に開放された吸気口である。５は空気を動きやすくするための溝である。Ａはかかとおよびそれに近い部分、Ｂは足の平に近い部分である。【００１７】  今、本靴を履いて歩き出すと、先ず踏み出した足のかかとの部分に体重がかかる。このとき、図のＡの部分のゴム管が閉口し管内の空気は前に移動する。【００１８】  つぎに、反対の足を前に出す動作に移るときに、現在接地している足の重心は次第に前に移り、図のＢのゾーンのゴム管が閉口し、ゴム管内のＢゾーンの空気は空気噴出口３から足の指の付け根部分に噴出される。このとき、Ａゾーンは加圧されていないのでゴム管は開口し、新しい空気が外部より吸気口４を経て導入される。【００１９】  以上の動作が反対の足でも行われ、歩行を進めるごとに、靴の中に新しい空気が導入され、足むれが防止できる。【００２０】  図２は第２の例で、やはり、靴の内底を上から見た図である。【００２１】  図において、１は靴底、５は空気を動きやすくするための溝、６は靴底の内側表面に近いところに埋め込まれた、ゴム製の気室である。７は足の指の付け根に近い部分に配置された空気噴出口、８はその手前に取り付けられた逆流防止弁、９は靴の外部に面している吸気口、１０はその手前に取り付けられた逆流防止弁である。【００２２】  今この靴を履いて歩き出すと、先ず踏み出した足に次第に体重がかかり、弾力性のあるゴムで出来た気室は収縮する。このとき、吸気口には逆流防止弁１０が付加されているので、ここから空気は出ず、空気は、空気噴出口７から靴の中の足の指の付け根部分に噴出される。つぎにこの足を上げると、気室は膨張しようとする。このときは、逆に空気噴出口側の逆流防止弁８が働いて、閉鎖されるため、吸気口から外部の新しい空気が入ってくる。【００２３】  以上の動作が反対の足でも行われ、歩行を進めるごとに、靴の中に新しい空気が導入され、足むれが防止できる。【００２４】  なお、以上の図１、２のいずれの例においても、靴の先端に近い部分に穴を開けておくと、空気の流通は促進される。
【図面の簡単な説明】
【００２５】
【図１】  本発明の実施形態を示す靴の内底を上から見た図である。
【図２】  本発明のもう１つの実施形態を示す靴の内底を上から見た図である。
【符号の説明】
【００２６】      １  靴底
２  ゴム管
３  空気噴出口
４  吸気口
５  溝
６  ゴム製気室
７  空気噴出口
８  逆流防止弁
９  吸気口
１０  逆流防止弁
Ａ  かかとゾーン
Ｂ  足の平のゾーン
【図１】
2006081874.tif 000003
【図２】
2006081874.tif 000004